(57)【特許請求の範囲】
【請求項１】
携帯機との間で無線信号を送受信する送受信機と、送受信信号を信号処理するコントローラと、このコントローラによって施解錠制御される電気錠機構とを備えた建物用ドアの施解錠装置において、
送受信機とシリンダ錠とをユニット化してドア外面に配設した外側錠部を備え、
この外側錠部の正面には、前記シリンダ錠のキー挿入部と共に、外側錠部の正面側から操作可能なタッチスイッチを設け、さらに、前記外側錠部のケース内には、外側錠部の送受信機及びシリンダ錠と共に基板を設け、
この基板に外側錠部の送受信機を構成する送信アンテナと受信アンテナとを配設する他に、前記外側錠部に設けられたタッチスイッチのスイッチ部を配設し、
前記外側錠部の受信アンテナが携帯機の無線信号を受信することに応動して前記コントローラを施解錠準備モードに移行させ、かつ、この準備モードにおいて前記外側錠部のタッチスイッチのスイッチ動作を検出することにより、前記コントローラに施錠または解錠を実行させる制御手段を設けて構成したことを特徴とする建物用ドアの施解錠装置。
【請求項２】
請求項１に記載した建物用ドアの施解錠装置において、
送受信機とサムターン装置とをユニット化してドア内面に配設した内側錠部を備え、この内側錠部の正面には、前記サムターン装置のサムターンノブと共に、内側錠部の正面側から操作可能なタッチスイッチを設け、さらに、前記内側錠部のケース内には、内側錠部の送受信機及びサムターン装置と共に基板を設け、
この基板に内側錠部の送受信機を構成する送信アンテナと受信アンテナを配設する他に、前記内側錠部に設けられたタッチスイッチのスイッチ部を配設し、
前記内側錠部の受信アンテナが携帯機の無線信号を受信することに応動して前記コントローラを施解錠準備モードに移行させ、かつ、この準備モードにおいて前記内側錠部のタッチスイッチのスイッチ動作を検出することにより、前記コントローラに施錠または解錠を実行させる制御手段を設けて構成したことを特徴とする建物用ドアの施解錠装置。
【請求項３】
請求項２に記載した建物用ドアの施解錠装置において、
各々施解錠機構のデッドボルト回転軸部を駆動可能として、前記外側錠部と前記内側錠部とをドアの取付け孔を介して一体的に連結して配設し、かつ、前記外側錠部の取付け孔と前記施解錠機構のデッドボルト回転軸部との間に防御部材を設け、
さらに、前記防御部材に前記外側錠部と前記内側錠部とを連結する取付ねじを通す孔部を設けたことを特徴とする建物用ドアの施解錠装置。
【請求項４】
請求項２に記載した建物用ドアの施解錠装置において、
前記外側錠部の送信アンテナと前記内側錠部の送信アンテナは、磁性体に導電線を巻回した送信アンテナであって、前記外側錠部の基板と内側錠部の基板には、前記送信アンテナと共振回路を構成するコンデンサを前記送信アンテナの近くとなるように配設したことを特徴とする建物用ドアの施解錠装置。
【発明の詳細な説明】
【０００１】
【発明の属する技術分野】
この発明は、建物用ドアに設ける施解錠装置に関し、特に、携帯機から送信した無線信号によって施解錠モードに移行させた状態でタッチスイッチを操作し施施又は解錠を実行させる構成とした施解錠装置に係る。
【０００２】
【従来の技術】
送受信機と電気錠（キ−シリンダを備える）とからなる錠部と、送受信信号を信号処理するコントローラとからなる施解錠装置をドアに設備し、この施解錠装置を携帯機（送受信ユニット）の特定の無線信号によって施解錠制御する構成の施解錠システムが知られている。
【０００３】
このような施解錠システムは、電磁波を通信媒体としたチャレンジコード信号と呼び出しコード信号とを順次ドア側の送受信機より送信する。
そして、携帯機を所持した者がそれらの信号の伝播領域に入ると、携帯機がチャレンジコード信号と呼び出しコード信号に応動してレスポンスコード信号を出力する。
【０００４】
このレスポンスコード信号はドア側の送受信機によって受信され、このレスポンスコード信号が正規信号であるか否かがコントローラによって算出された内部レスポンスコードとの比較により判断され、その判断結果に基づいて施錠されている電気錠が解錠される。
なお、このような施解錠装置は、解錠してドアを開き、その後ドアを閉めると自動的に施錠される。
また、解錠して一定時間の間にドアを開かない場合も自動的に施錠される。
【０００５】
上記したチャレンジコード信号は、休止中である携帯機を起動させるものであるが、呼び出しコード信号は、呼び出しに対応する携帯機のＩＤコードに関連してコントローラに登録されているコード信号である。
コントローラは、チャレンジコード信号と呼び出しコード信号を送信した後、送信した呼び出しコード信号に対応する携帯機のＩＤコードと送信したチャレンジコードから、内部レスポンスコードを生成し、一時的に記憶する。
【０００６】
また、携帯機は送受信ユニットとなっており、受信したチャレンジコード信号とＩＤコードから算出してレスポンスコードを生成する。
すなわち、施解錠装置のコントローラで行なわれる内部レスポンスコードの算出と同様にしてレスポンスコードを生成し、このレスポンスコード信号を出力する。
【０００７】
したがって、レスポンスコード信号を受信した施解錠装置は、内部レスポンスコードと受信した外部レスポンスコードとを比較し、一致している場合に解錠動作する。
なお、上記した錠部の送受信機は、キ−シリンダと共にドア外面に備える他に、サムターン装置と共にドア内面にも備え、ドア内外の送受信機の送受信信号を一つのコントローラで信号処理する構成としたものがある。
【０００８】
【発明が解決しようとする課題】
上記したように、従来の施解錠装置は、携帯機を所持した者がドアに近づくことによって自動的に解錠され、そして、ドアを開閉した後またはドアを所定時間の間に開けなかったときに自動的に施錠されるために、携帯機を所持した者がドアに近づいた後は、その者の意志にかかわらず自動的に解錠され、また、施錠される。
【０００９】
このことから、施解錠する者が実際に施錠されたか、また、解錠されたかを自己の意志による操作によって確認することができる確認手段が要請されるようになった。
そこで、本発明ではこのような確認手段を効果的に備える施解錠装置を提供することを第１の目的とする。
【００１０】
また、この発明では、ドア外面に設ける外側錠部が破壊され、ドア外から施解錠動作部が不正に操作されることを防ぐ防護対策機構を提供することを第２の目的とする。
【００１１】
さらに、本発明では、施解錠装置の送受信機が備える共振回路によって生ずる周囲の無線機器への影響を可能なるかぎり少なくする構成とすることを第３の目的とする。
【００１２】
【課題を解決するための手段】
上記した第１の目的を達成するため、本発明では、第１の発明として、携帯機との間で無線信号を送受信する送受信機と、送受信信号を信号処理するコントローラと、このコントローラによって施解錠制御される電気錠機構とを備えた建物用ドアの施解錠装置において、送受信機とシリンダ錠とをユニット化してドア外面に配設した外側錠部を備え、この外側錠部の正面には、前記シリンダ錠のキー挿入部と共に、外側錠部の正面側から操作可能なタッチスイッチを設け、さらに、前記外側錠部のケース内には、外側錠部の送受信機及びシリンダ錠と共に基板を設け、この基板に外側錠部の送受信機を構成する送信アンテナと受信アンテナとを配設する他に、前記外側錠部に設けられたタッチスイッチのスイッチ部を配設し、前記外側錠部の受信アンテナが携帯機の無線信号を受信することに応動して前記コントローラを施解錠準備モードに移行させ、かつ、この準備モードにおいて前記外側錠部のタッチスイッチのスイッチ動作を検出することにより、前記コントローラに施錠または解錠を実行させる制御手段を設けて構成したことを特徴とする建物用ドアの施解錠装置を提案する。
【００１３】
また、第２の発明としては、上記した第１の発明の施解錠装置において、送受信機とサムターン装置とをユニット化してドア内面に配設した内側錠部を備え、この内側錠部の正面には、前記サムターン装置のサムターンノブと共に、内側錠部の正面側から操作可能なタッチスイッチを設け、さらに、前記内側錠部のケース内には、内側錠部の送受信機及びサムターン装置と共に基板を設け、この基板に内側錠部の送受信機を構成する送信アンテナと受信アンテナを配設する他に、前記内側錠部に設けられたタッチスイッチのスイッチ部を配設し、前記内側錠部の受信アンテナが携帯機の無線信号を受信することに応動して前記コントローラを施解錠準備モードに移行させ、かつ、この準備モードにおいて前記内側錠部のタッチスイッチのスイッチ動作を検出することにより、前記コントローラに施錠または解錠を実行させる制御手段を設けて構成したことを特徴とする建物用ドアの施解錠装置を提案する。
【００１４】
このように構成した施解錠装置は、送受信機が携帯機からの無線信号を受信すると、コントローラがその受信信号に応動して施解錠準備モードとなる。
そして、この準備モードにおいてタッチスイッチを操作すれば、コントローラがそのスイッチ動作信号に応動して電気錠を施解錠動作させる。
【００１５】
このように、本発明によれば、施解錠する者の意志によるスイッチ操作によって施錠又は解錠が実行される。
このようなタッチスイッチによる施錠と解錠の確認操作は外側錠部と内側錠部とで行なうことができる。
【００１６】
一方、本発明の施解錠装置は、送受信機とシリンダ錠とをユニット化した錠部に、送信アンテナ、受信アンテナ、タッチスイッチを設けたので、これらアンテナやタッチスイッチが最も効果的に配置される。
すなわち、タッチスイッチを錠部とは別設する必要がなく、最も操作し易い位置に配設することができる。
【００１７】
また、本発明の施解錠装置は、従来の施解錠装置が設置されている配線回路を利用して容易に設備することができる。
すなわち、錠部の交換とコントローラのソフトウエアの変更によって容易に実施することができるので、既に設備されている施解錠装置の改修を簡単に行なうことができる。
【００１８】
さらに、本発明の第３の発明としては、第２の発明の施解錠装置において、各々施解錠機構のデッドボルト回転軸部を駆動可能として、前記外側錠部と前記内側錠部とをドアの取付け孔を介して一体的に連結して配設し、かつ、前記外側錠部の取付け孔と前記施解錠機構のデッドボルト回転軸部との間に防御部材を設け、さらに、前記防御部材に前記外側錠部と前記内側錠部とを連結する取付ねじを通す孔部を設けたことを特徴とする建物用ドアの施解錠装置を提案する。
【００１９】
外側錠部と内側錠部は、ドアに形成した取付け孔を介して一体的に連結して取付けられるが、これらの錠部は送受信機とのユニット化により合成樹脂材などのケースによって覆う構成とする場合があるため、特に、外側錠部については不正行為によってケースが破壊され、錠部の一部材が取り外されてしまうことがある。
【００２０】
このような場合には、デットボルト回転軸などの施解錠機構が取付け孔から差し入れた工具などによって不正に動作され、解錠されることがある。
本発明ではこのような不正行為を防止するため、施解錠機構と取付け孔との間に防護部材を設けることにより、錠部ケースが破壊された場合でも取付け孔を防護部材によって閉塞し、不正行為による解錠を防止する構成となっている。
【００２１】
また、本発明の第４の発明としては、第２の発明の施解錠装置において、前記外側錠部の送信アンテナと前記内側錠部の送信アンテナは、磁性体に導電線を巻回した送信アンテナであって、前記外側錠部の基板と内側錠部の基板には、前記送信アンテナと共振回路を構成するコンデンサを前記送信アンテナの近くとなるように配設したことを特徴とする建物用ドアの施解錠装置を提案する。
【００２２】
従来の施解錠装置は錠部を簡単化するために、錠部には送信アンテナを配置し、この送信アンテナと共振回路を形成するコンデンサはコントローラに設けられている。
このため、送信アンテナとコンデンサとの間の配線が長くなるために、この配線に発生する電磁界が公共の電波を干渉したり、周囲の無線機器に影響を与えるおそれがあった。
【００２３】
そこで、この発明では、共振回路を形成する送信アンテナとコンデンサとを外側錠部と内側錠部とに設け、配線による電磁界の影響を防止した構成としてある。
【００２４】
【発明の実施の形態】
次に、本発明の実施形態について図面に沿って説明する。
図１（Ａ）は本発明の施解錠装置を実施した建物用ドアの外面側一部を示す斜視図、図１（Ｂ）はそのドアの内面側一部を示す斜視図である。
【００２５】
図１（Ａ）に示すように、ドア１０の外面には、施解錠装置の外側錠部１１と、外側ドアハンドル１２と、補助シリンダ錠部１３とを設け、また、このドア１０には埋設するようにして施解錠装置のコントローラ１４が配設してある。
【００２６】
外側錠部１１は、図２に示した拡大正面図より分かる通り、その正面にはシリンダ錠のキ−挿入部１５、タッチスイッチ１６、施解錠の表示部１７、コード信号の送受信部所１８を備えてある。
なお、送受信部所１８は、合成樹脂材などで形成されており、ケース２２を金属製とする場合に設けられるものであり、ケース２２を合成樹脂材などで形成する場合は不要となる。
【００２７】
また、外側錠部１１は、図３に拡大して示した内部構成図より分かるように、送信アンテナ１９、受信アンテナ２０、送信アンテナ１９に接近させて配置したコンデンサ２１、その他タッチスイッチ１６のスイッチ部などがケース２２内に設けた基板２３に配設してある。
【００２８】
送信アンテナ１９は磁性体に導電線を巻回して形成したもので、この送信アンテナ１９とコンデンサ２１とで直列共振回路を形成している。
すなわち、直列共振回路の共振電流を利用してチャレンジコード信号と呼び出しコード信号とを順次送信アンテナ１９より繰り返し送信させる。
【００２９】
そして、このチャレンジコード信号と呼び出しコード信号は、周辺無線機器への電波障害を考慮して、距離減衰性の高い電磁波を送信媒体とし、例えば、ＬＦ（１２５ｋＨｚ）磁界信号として送信する。
【００３０】
受信アンテナ２０は、棒状の導電体からなる公知のアンテナで、携帯機５０（図１参照）から送られる高周波電波、例えば、ＲＦ（３１５ＭＨｚ）のレスポンスコード信号を電波信号として受信する。
【００３１】
表示部１７は施錠状態で緑色光を、解錠状態で赤色光を表示するもので、施解錠する者が視覚を通して施錠と解錠とを確認できるようにしてある。
【００３２】
上記した外側錠部１１の送受信信号はコントローラ１４によって信号処理される。
すなわち、このコントローラ１４は、ＣＰＵの他にＲＡＭ、ＲＯＭなどのメモリ、タイマー等を有する制御回路を有し、このコントローラ１４の制御下にチャレンジコード信号と呼び出しコード信号とを送信アンテナ１９より出力させる。
なお、チャレンジコード信号は任意の乱数コード信号である。
呼び出しコード信号は、予めコントローラ１４に設定された呼び出しコードから、携帯機５０のコントローラ１４への登録順に従って求めたもので、携帯機５０のＩＤコードに対応させてメモリに記憶させて保持する。
【００３３】
また、このコントローラ１４は、受信アンテナ２０が受信したレスポンスコード信号を入力し、このレスポンスコードと送信したチャレンジコードから生成してメモリに記憶されている内部レスポンスコードとを比較し、これらコードが一致したとき、解錠準備モードとなる。
なお、レスポンスコード信号は、携帯機５０のＩＤコードと受信したチャレンジコードから施解錠装置側と同様に算出されたコード信号で、携帯機５０より出力させる。
【００３４】
さらに、コントローラ１４は、解錠準備モードにおいてタッチスイッチ１６を操作すると、そのスイッチ信号の入力に応動し、施解錠機構２４（図１参照）を電動駆動部（サムターン装置に内蔵）を解錠制御し、施錠状態となっているデットボルト２５（図１参照）を退出させ解錠させる。
【００３５】
なお、解錠した後、ドアを開閉したとき、または、所定時間内にドアを開閉しないときは、コントローラ１４が施解錠機構２４の電動駆動部を制御して施錠させる。
【００３６】
図１に示した外側ドアハンドル１２はラッチ機構を連動する構成となっており、例えば、押し開きドア１０の場合は、ドアハンドル１２を押し操作すると、ラッチボルト２６が後退してドアを開くことができる。
なお、ドアハンドル１２の押し操作を解放すると、ラッチ機構が自動的に復動する。
【００３７】
図１に示した補助シリンダ錠１３は、キ−操作によってその施解錠機構２７を施解錠させるものであるが、この施解錠機構２７は補助サムターンに設けられた電動駆動部によって制御される。
すなわち、この電動駆動部が上記したコントローラ１４によって制御されることにより外側錠部１１と同様に施解錠される構成となっている。
【００３８】
一方、図１（Ｂ）に示すように、ドア１０の内面には、内側錠部３１、内側ドアハンドル３２、補助サムターン３３が設けてある。
内側錠部３１は、サムターン装置と送受信機とをユニット化した構成としてあり、図４に拡大正面図として示した通り、その正面にはサムターンノブ３４、タッチスイッチ３５、施解錠状態の表示部３６とが設けてある。
【００３９】
また、内側錠部３１は、図５に拡大して示した内部構成図より分かるように、送信アンテナ３７、受信アンテナ３８、送信アンテナ３７と共振回路を形成するコンデンサ３９、タッチスイッチ３５のスイッチ部などがケ−ス４０内に設けられた基板に配設されている。
【００４０】
なお、タッチスイッチ３５、送信アンテナ３７、受信アンテナ３８は外側錠部１１に備えたものと同構成であり、コントローラ１４の制御下に同様に動作するものである。
【００４１】
さらに、内側錠部３１には、施解錠機構２４をモータ駆動する電動駆動部４１が備えてある。
なお、この電動駆動部４１には、外側錠部１１のシリンダ錠をキー操作したとき、または、サムターンノブ３４を操作したときに電動電駆動系を切り離すクラッチ機構が備えられている。
【００４２】
図１（Ｂ）に示した内側ドアハンドル３２は、外側ドアハンドル１２と同様にラッチ機構を連動し、この内側ドアハンドル３２を引き操作すると、ラッチボルト２６が後退してドアを開くことができる。
なお、内側ドアハンドル３２の引き操作を解放すれば、ラッチ機構が自動的に復動する。
【００４３】
図１に示した補助サムターン３３は、内側錠部３１に設けた電動駆動部４１と同様の電動駆動部とクラッチ機構とを備え、コントローラ１４によって制御される電動駆動部の動作により施解錠するものである。
【００４４】
次に、図６〜図９に示すコントローラ１４のフローチャートを参照しながら上記した施解錠装置の動作について説明する。
なお、外側錠部１１と内側錠部３１の送受信時の動作は同様となるので、外側錠部１１の送受信時の動作について説明する。
【００４５】
先ず、コントローラ１４のスタートによって外側錠部１１の送信アンテナ１９からチャレンジコード信号が送信される。
このときコントローラ１４は、送信したチャレンジコード信号のコードと続いて送信する呼び出しコードに対応した携帯機のＩＤコードとから算出した内部レスポンスコードを作成してメモリに記憶させる。
この呼び出しコード信号は複数の携帯機の登録に対応させて設定されるａ〜ａｎ＋１のコード信号であり、各携帯機のＩＤコードに関連させてメモリに記憶されている。
また、チャレンジコード信号はａ〜ａ＋ｎの種類に分けられた呼び出しコード信号と交互に送信される。（図６、ＳＴ１００〜ＳＴ１０３）
【００４６】
携帯機５０を所持した者がドア１０に近づき、携帯機５０がレスポンスコード信号を出力すると、このレスポンスコード信号を外側錠部１１の受信アンテナ２０が受信する。（図６ＳＴ１０４）
受信アンテナ２０が受信したレスポンスコード信号は、コントローラ１４によって外部レスポンスコードとして処理され、内部レスポンスコードと比較される。（図６ＳＴ１０５）
【００４７】
携帯機５０がａ〜ａ＋ｎのいずれかの呼び出しコード信号に対応したＩＤコードを有するものであれば、外部レスポンスコードが内部レスポンスコードに一致することから、コントローラ１４がこれらコードの一致を判断して施解錠の準備モードに移る。（図６ＳＴ１０６）
【００４８】
この準備モードでは、施解錠状態を判断し、施錠していれば表示部１７を緑色に点灯し解錠作動待機、解錠していれば表示部１７を赤色に点灯して施錠作動待機となる。（図７ＳＴ１０８〜ＳＴ１１１）
【００４９】
表示部１７が点灯したことを確認した後、携帯機５０を所持した者がこの待機状態でタッチスイッチ１６を操作することになる。
なお、タッチスイッチ１６を操作しなかったときは初段のステップＳＴ１００に戻る（図７ＳＴ１１２、ＳＴ１１３）
【００５０】
ステップＳＴ１０９の解錠待機の状態でタッチスイッチ１６を操作すると、コントローラ１４がそのスイッチ信号に応じて電動駆動部４１を制御して解錠させる。
そして、この解錠にしたがって自動施錠タイマーのカウントを開始させる。（図７ＳＴ１１４〜ＳＴ１１６）
【００５１】
解錠後にドア１０を開くと、このドア１０を閉じないかぎり次のステップに進まず、ドア１０が開き状態となる。（図８ＳＴ１１７、ＳＴ１１８）
ドアを閉めると自動施錠タイマーのカウントが開始し、このタイマーがタイムアップすることでコントローラ１４が電動駆動部４１を制御して施錠する。（図８ＳＴ１１９〜ＳＴ１２１）
【００５２】
ステップＳＴ１１４の解錠にかかわらずドア１０を開けなかったときは自動施錠タイマー（図７ＳＴ１１６）のタイムアップで施錠となる。（図８ＳＴ１１７、ＳＴ１２０、ＳＴ１２１）
また、ドア１０を開けない場合、自動施錠タイマー（図７ＳＴ１１６）のカウント中にタッチスイッチ１６を操作することで施錠となる。（図８ＳＴ１１７、ＳＴ１２０、ＳＴ１２１、ＳＴ１２２）
【００５３】
上記のように解錠した後に自動施錠した後は内部レスポンスコードを消去して初段のステップＳＴ１００にリターンする。（図８ＳＴ１２３、ＳＴ１２４）
【００５４】
また、ステップＳＴ１１１の施錠待機状態では、解錠しているためタッチスイッチ１６を操作することにより施錠となる。（図７ＳＴ１１３、ＳＴ１２５）
このように施錠した後は、内部レスポンスコードを消去して初段のステップＳＴ１００にリターンする。（図７ＳＴ１２６、ＳＴ１２７）
【００５５】
一方、携帯機５０からレスポンスコード信号を受信しない場合、或いは、レスポンスコード信号を受信したがこの外部レスポンスコードとして内部レスポンスコードと一致しないときは、呼び出しコードを切換える。（図６ＳＴ１０４、図９ＳＴ１２８、ＳＴ１２９）
【００５６】
呼び出しコード信号を切換えて送信してレスポンスコード信号を受信したときは、ステップＳＴ１０４以後のステップに移り、そのレスポンスコードが内部レスポンスコードと一致すれば、ステップＳＴ１０６以後のステップに移る。
【００５７】
ａ〜ａ＋ｎの呼び出しコード信号を切換えて送信しても、レスポンスコード信号を受信しない場合、或いは、受信したレスポンスコード信号のコードが内部レスポンスコードと一致しないときには、解錠待機状態を解除する。（図９ＳＴ１３０、ＳＴ１３１）
そして、内部レスポンスコードを消去して初段のステップＳＴ１００にリターンする。（図９ＳＴ１３２〜ＳＴ１３４）
【００５８】
以上は外側錠部１１とコントローラ１４の動作について説明したが、内側錠部３１とコントローラ１４の動作は同様となっているので説明を省略する。
【００５９】
図１０は、携帯機５０の動作を示すフローチャートである。
携帯機５０には、ＣＰＵの他にＲＡＭ、ＲＯＭなどのメモリを備え、ドア１０の外側錠部１１から送信されるチャレンジコード信号を受信することにより、休止状態から起動し、また、チャレンジコードと携帯機固有のＩＤコードから算出したレスポンスコードを作成してメモリに記憶させる。（図１０ＳＴ２００１〜ＳＴ２００３）
【００６０】
そして、呼び出しコード信号を受信することにより、この携帯機５０が有する呼び出しコードと一致したときにレスポンスコード信号を送信する。
さらに、レスポンスコード信号を送信した後は、記憶されているレスポンスコードを消去して初段ステップにリターンする。（図１０ＳＴ２００４〜ＳＴ２００７）
【００６１】
チャレンジコード信号を受信しても呼び出しコード信号を所定時間の間受信しない場合、或いは、呼び出しコードが一致しない場合には、レスポンスコードを消去してリターンする。（図１０ＳＴ２００４、ＳＴ２００５、ＳＴ２００７、ＳＴ２００８）
【００６２】
図１１は外側錠部１１と内側錠部３１とをドア１０に取付ける前の状態を示す分解斜視図である。
図示するように、内側錠部３１は、取付板４２を挟むようにしてとり付けねじ４３によりドア１０の内面に固着する。
【００６３】
また、取付板４２はドア取付け孔１０ａ（図１２参照）に嵌着させる凸部を有し、この凸部に外側錠部１１を取付けるための取付けねじ４４が設けてある。
そして、この取付けねじ４４を施解錠機構２４の貫通孔を通してドア外方に向かって突出させてある。
【００６４】
また、外側錠部１１にはねじ孔付きの取付けねじ４５が設けてあり、この取付けねじ４５に上記した取付けねじ４４をねじ込むようにして外側錠部１１をドア１０の外面に取付けてある。
なお、外側錠部１１は、シリンダ部と取付けねじ４５とをドア外面側の取付孔１０ｂを通すようにして取付けてある。
【００６５】
一方、この実施形態では、シリンダの連動軸や取付けねじ４５を通す孔部を形成した円形の防護部材４６を設け、この防護部材４６をシリンダ部と施解錠機構２４との間に配設させる。
【００６６】
すなわち、図１２の組立て図より分かるように、施解錠機構２４のデットボルト回転軸部をこの防護部材４６で閉塞するようにし、不正行為による解錠を防止する構成となっている。
【００６７】
つまり、外側錠部１１のケース２２を合成樹脂材で形成した場合、このケース２２が破壊されてしまうことがあり、この場合、図１３に示した如く、上記防護部材４６を設けていなければ、取付孔１０ｂより差し入れた工具４７によってデッドボルト回転軸４８が回転され、不正に解錠されてしまうことがある。
上記した防護部材４６はこのような問題を解決したものである。
【００６８】
以上、本発明の一実施形態について説明したが、チャレンジコード信号と呼び出しコード信号は常時送信させる構成とせず、携帯機５０を所持した者がドア１０に近づきタッチスイッチ１６を操作することによってこれらのコード信号を送信させる構成とすることもできる。
このように構成することにより電力消費の節約を計ることができて有利となる。
【００６９】
【発明の効果】
上記した通り、本発明に係る施解錠装置は、外側錠部及び／又は内側錠部にタッチスイッチを設け、このタッチスイッチの操作によって施解錠を実行する構成としたので、携帯機を所持する者の意志による操作によって施錠し、また、解錠することができる。
【００７０】
また、タッチスイッチは送受信コイルと共に外側錠部及び／又は内側錠部に設けたので、最適な配置位置となる。
そして、この施解錠装置は、既に設備されている施解錠装置を改修する場合に、その配線を有効に利用して設備できるので、実用化の高い施解錠装置となる。
【００７１】
さらに、本発明の施解錠装置は、外側錠部の取付け孔と施解錠機構との間に防護部材を設けたので、外側錠部が破壊されるようなことがあっても、取付け孔から差し入れた工具などによって不正に解錠されることがない。
【００７２】
また、本発明の施解錠装置は、送信アンテナと共振回路を形成するコンデンサを外側錠部及び／又は内側錠部に設けたので、送信アンテナとコンデンサとの配線が短くなり、この配線に発生する電磁界による周囲機器に及ぼす影響がほとんど生じない。
【図面の簡単な説明】
【図１】  図１（Ａ）は本発明の施解錠装置を実施したドアの外面側を示す部分的な斜視図である。
図１（Ｂ）は本発明の施解錠装置を実施した同ドアの内面側を示す部分的な斜視図である。
【図２】  上記施解錠装置の外側錠部を拡大して示した正面図である。
【図３】  図２に示した外側錠部の内部構成を示した同外側錠部の背面図である。
【図４】  上記施解錠装置の内側錠部を拡大して示した正面図である。
【図５】  図４に示した内側錠部の内部構成を示した同内側錠部の背面図である。
【図６】  上記施解錠装置に備えたコントローラの動作を示すフローチャートの一部である。
【図７】  図６に続くフローチャートである。
【図８】  図７に続くフローチャートである。
【図９】  図６に続く他のフローチャートである。
【図１０】  携帯機の動作を示すフローチャートである。
【図１１】  上記した外側錠部と内側錠部の取付けを説明するための分解斜視図である。
【図１２】  上記した外側錠部と内側錠部の取付け状態を示す簡略図である。
【図１３】  外側錠部が不正行為によって解錠される場合の一例を示した図１２同様の簡略図である。
【符号の説明】
１０  ドア
１０ａ、１０ｂ  取付け孔
１１  外側錠部
１４  コントローラ
１６  タッチスイッチ
１９  送信アンテナ
２０  受信アンテナ
２１  コンデンサ
２２  ケース
２４  施解錠機構
３１  内側錠部
３４  サムターンノブ
３５  タッチスイッチ
３７  送信アンテナ
３８  受信アンテナ
３９  コンデンサ
４１  電動駆動部
５０  携帯機
【図１】
0004078665.tif 000002
【図２】
0004078665.tif 000003
【図３】
0004078665.tif 000004
【図４】
0004078665.tif 000005
【図５】
0004078665.tif 000006
【図６】
0004078665.tif 000007
【図７】
0004078665.tif 000008
【図８】
0004078665.tif 000009
【図９】
0004078665.tif 000010
【図１０】
0004078665.tif 000011
【図１１】
0004078665.tif 000012
【図１２】
0004078665.tif 000013
【図１３】
0004078665.tif 000014